(57)【要約】  【課題】  バイパス給紙トレイへの用紙のセット時に設定されている用紙種類やサイズなどを容易に確認でき、または、セットした用紙が第三者により無駄に使用される虞のない画像形成装置を提供する。  【解決手段】  バイパス給紙トレイへの用紙のセット時に当該用紙の属性情報を入力するバイパス情報入力手段と、入力されたバイパス情報を記憶するバイパス情報記憶手段とを備えるとともに、記録されたバイパス情報を表示するバイパス情報表示手段を前記バイパス給紙トレイの近傍に備えてなり、属性情報に、セットされた用紙の使用者を判別するパスワードを含み、用紙が供給される給紙部を選択する給紙部選択手段によりバイパス給紙トレイが選択されたときにパスワードを確認するパスワード確認手段と、パスワードが確認されたときにバイパス給紙トレイからの給紙を許容する給紙許容手段を備えて構成される。  【選択図】  図３
2005210524.tif 000002
【特許請求の範囲】
【請求項１】
バイパス給紙トレイを含む複数の給紙部の何れかから給紙された用紙に画像を記録して出力する画像形成装置であって、
前記バイパス給紙トレイへの用紙のセット時に当該用紙の属性情報を入力するバイパス情報入力手段と、入力されたバイパス情報を記憶するバイパス情報記憶手段とを備えるとともに、記録されたバイパス情報を表示するバイパス情報表示手段を前記バイパス給紙トレイの近傍に備えてなる画像形成装置。
【請求項２】
前記属性情報に、セットされた用紙の使用者を判別するパスワードを含み、用紙が供給される給紙部を選択する給紙部選択手段により前記バイパス給紙トレイが選択されたときに前記パスワードを確認するパスワード確認手段と、パスワードが確認されたときに前記バイパス給紙トレイからの給紙を許容する給紙許容手段を備えてなる請求項１記載の画像形成装置。
【請求項３】
前記パスワード確認手段は、前記バイパス給紙トレイが選択されたときにパスワードの入力を促すパスワード入力画面を表示するパスワード入力画面表示手段と、表示されたパスワード入力画面に基づいて入力されたパスワードと前記バイパス情報に含まれるパスワードとを比較するパスワード比較手段とを備えて構成してある請求項１または２記載の画像形成装置。
【請求項４】
前記パスワード確認手段は、前記バイパス給紙トレイが選択されたときに、ネットワークを介して接続された端末にパスワードの入力を促すパスワード入力画面を表示するパスワード入力画面表示手段と、表示されたパスワード入力画面に基づいて入力されたパスワードを前記ネットワークを介して入力し、前記バイパス情報に含まれるパスワードとを比較するパスワード比較手段とを備えて構成してある請求項１または２記載の画像形成装置。
【請求項５】
前記バイパス情報の一部が、前記バイパス給紙トレイからの給紙によりセットされた用紙が全て給紙されたとき、または当該画像形成ジョブが終了したときにクリアされるバイパス情報クリア手段を設けてある請求項１から４の何れかに記載の画像形成装置。
【発明の詳細な説明】
【技術分野】
【０００１】
本発明は、バイパス給紙トレイを含む複数の給紙部の何れかから給紙された用紙に画像を記録して出力する画像形成装置に関する。
【背景技術】
【０００２】
従来からプリンタや複写機などの画像形成装置には、複数段の給紙カセットの他に、カラー用紙やＯＨＰ用紙などの特殊紙を適宜使用するための利便性の向上のためにバイパス給紙トレイ（「手差しトレイ」とも表現される。）が備えられている。
【０００３】
このようなバイパス給紙トレイの一例として、シングル手差しユニットに用紙をセットするタイミング（または用紙セット可能時期）をユーザに表示して、手差し給紙のタイミングを明確にすることにより、１枚ずつ確実にシングル手差しユニットから給紙することができる画像形成装置を提供することを目的として、手差し給紙制御部を制御するＣＰＵと、シングル手差しユニットにセットする用紙サイズを指定する用紙サイズ指定手段と、シングル手差しユニットにおける用紙の存否を検知する手差し用紙有無検知手段と、ユーザ指定の用紙サイズに対応する用紙サイズデータを格納する記憶手段と、指定したサイズの用紙の長さを計測する用紙長計測手段と、用紙長計測手段により計測された用紙長と現に差込まれた用紙の用紙長とを比較する用紙長比較手段と、シングル手差しユニットから最初の用紙の給紙が完了して次の用紙のセットが可能であることを表示する表示手段とからなり、ＣＰＵの制御により、給紙した用紙が給紙を完了したときに、表示手段に対し次の用紙の差込み可能を表示させるようにしたことを特徴とするものが提案されている。
【特許文献１】特開平８−３２４８４３号公報
【発明の開示】
【発明が解決しようとする課題】
【０００４】
しかし、上述した従来の画像形成装置によれば、シングル手差しユニットに用紙をセットするタイミングが表示されるものに過ぎず、セットしようとする用紙サイズを確認するためには装置本体の正面に設置されている操作表示部を目視しなければならず、オペレータは用紙セット時の姿勢から姿勢変更して操作表示部を確認し、さらに姿勢変更して用紙を手差しユニットにセットしなければならず、煩雑な動作が要求されるという問題があり、シングル手差しユニットでなく複数枚の用紙を同時にセットできるマルチ手差しトレイ（バイパス給紙トレイ）でも同様の問題があった。
【０００５】
また、バイパス給紙トレイは、カラー用紙やＯＨＰ用紙などの特殊紙に画像を形成する場合に、通常の給紙カセットへの用紙をセットする動作よりも手軽であることからその使用頻度が高いものであるが、バイパス給紙トレイに用紙をセットしてから画像形成ジョブを起動する間に第三者が操作して当該用紙が使用されるという不都合があり、そのような場合、第三者も意図しない用紙に画像形成され、用紙をセットした当事者も再度用紙をセットしなければならなくなるという不都合があった。
【０００６】
上述の不都合は複写機のみならずネットワーク上に接続されたプリンタについても同様であり、特殊紙に画像形成して出力しようとする操作者がプリンタ設置場所に移動してバイパス給紙トレイに用紙をセットして、自分の席に戻る間に第三者によりバイパス給紙トレイが選択されて印刷出力されるという虞があった。
【０００７】
本発明は、上述の従来欠点に鑑み、バイパス給紙トレイへの用紙のセット時に設定されている用紙種類やサイズなどを容易に確認でき、または、セットした用紙が第三者により無駄に使用される虞のない画像形成装置を提供する点にある。
【課題を解決するための手段】
【０００８】
上述の目的を達成するため、本発明による画像形成装置の第一の特徴構成は、特許請求の範囲の書類の請求項１に記載した通り、バイパス給紙トレイを含む複数の給紙部の何れかから給紙された用紙に画像を記録して出力する画像形成装置であって、前記バイパス給紙トレイへの用紙のセット時に当該用紙の属性情報を入力するバイパス情報入力手段と、入力されたバイパス情報を記憶するバイパス情報記憶手段とを備えるとともに、記録されたバイパス情報を表示するバイパス情報表示手段を前記バイパス給紙トレイの近傍に備えてなる点にある。
【０００９】
上述の構成によれば、バイパス情報表示手段をバイパス給紙トレイの近傍に備えてあるので、操作者がバイパス給紙トレイに用紙をセットするときにその姿勢のままでバイパス給紙トレイの属性情報が確認できるので、用紙のセット動作が確実且つ容易に行なえるようになるのである。ここに、属性情報とは、例えばカラー用紙やＯＨＰ用紙などの特殊紙または普通紙を識別する用紙種類情報や、用紙サイズ情報などをいい、それらの属性情報はバイパス情報入力手段により手動入力または自動検出入力されるものである。
【００１０】
同第二の特徴構成は、同請求項２に記載した通り、上述の第一特徴構成に加えて、前記属性情報に、セットされた用紙の使用者を判別するパスワードを含み、用紙が供給される給紙部を選択する給紙部選択手段により前記バイパス給紙トレイが選択されたときに前記パスワードを確認するパスワード確認手段と、パスワードが確認されたときに前記バイパス給紙トレイからの給紙を許容する給紙許容手段を備えてなる点にある。
【００１１】
このように構成すれば、バイパス情報入力手段によりバイパス給紙トレイにセットされた用紙に対応付けられたパスワードが入力され、バイパス給紙部を使用しようとして給紙部選択手段によりバイパス給紙トレイを選択したときにパスワード確認手段が作動して確認し、パスワードが確認されたときに給紙許容手段により給紙、つまり画像形成ジョブが許容されることになるので、セットした用紙が第三者により無駄に使用されるような事態が効果的に防止されるのである。
【００１２】
同第三の特徴構成は、同請求項３に記載した通り、上述の第一または第二特徴構成に加えて、前記パスワード確認手段は、前記バイパス給紙トレイが選択されたときにパスワードの入力を促すパスワード入力画面を表示するパスワード入力画面表示手段と、表示されたパスワード入力画面に基づいて入力されたパスワードと前記バイパス情報に含まれるパスワードとを比較するパスワード比較手段とを備えて構成してある点にある。
【００１３】
パスワード確認手段がパスワードを確認するに際して、パスワード入力画面表示手段によりパスワードの入力を促し、入力されたパスワードが、バイパス情報入力手段により入力されバイパス情報記憶手段に格納されたパスワードと同一か否かをパスワード比較手段により確認することにより行なわれるのである。
【００１４】
同第四の特徴構成は、同請求項４に記載した通り、上述の第一または第二特徴構成に加えて、前記パスワード確認手段は、前記バイパス給紙トレイが選択されたときに、ネットワークを介して接続された端末にパスワードの入力を促すパスワード入力画面を表示するパスワード入力画面表示手段と、表示されたパスワード入力画面に基づいて入力されたパスワードを前記ネットワークを介して入力し、前記バイパス情報に含まれるパスワードとを比較するパスワード比較手段とを備えて構成してある点にある。
【００１５】
上述の構成によれば、画像形成装置が例えばネットワークプリンタとして使用され、端末を操作してプリンタのバイパス給紙トレイを選択して印刷出力するような場合に、パスワード入力画面表示手段により端末側にパスワード入力画面を表示させてパスワードを入力させるように構成することで、第三の特徴構成と同様の効果が得られるのである。
【００１６】
同第五の特徴構成は、同請求項５に記載した通り、上述の第一から第四の何れかの特徴構成に加えて、前記バイパス情報の一部が、前記バイパス給紙トレイからの給紙によりセットされた用紙が全て給紙されたとき、または当該画像形成ジョブが終了したときにクリアされるバイパス情報クリア手段を設けてある点にある。
【００１７】
バイパス情報記憶手段にセットされた用紙に対応したバイパス情報がいつまでも記憶されていると却って不都合を生じる場合がある。例えば、パスワードを設定した操作者が必要とする画像形成ジョブを終了した後にまでパスワードが保持されていると、次にバイパス給紙トレイを使用する者は当該パスワードを知らない限り使用できなくなる。そしてその都度バイパス情報入力手段によりバイパス情報を入力するのは極めて手間がかかり煩雑でもある。そこで、バイパス給紙トレイからの給紙によりセットされた用紙が全て給紙されたとき、または当該画像形成ジョブが終了したときにバイパス情報クリア手段によりバイパス情報の一部、例えばパスワードをクリアすることにより、わざわざバイパス情報を再入力しなくともバイパス給紙トレイから給紙することが可能となるのである。
【発明の効果】
【００１８】
以上説明した通り、本発明によれば、バイパス給紙トレイへの用紙のセット時に設定されている用紙種類やサイズなどを容易に確認でき、または、セットした用紙が第三者により無駄に使用される虞のない画像形成装置を提供することができるようになった。
【発明を実施するための最良の形態】
【００１９】
以下に本発明による画像形成装置の実施の形態を説明する。図１に示すように、画像形成装置は、図２に示すように、画像形成装置としてのデジタル方式の複写機は、原稿載置部１と、原稿載置部１にセットされた原稿を給紙して撮像部（図示せず）により画像情報を読込むスキャナ部２と、スキャナ部２の下方に設けられた画像形成プロセス処理部３と、前記画像形成プロセス処理部３に用紙４を供給する給紙部５と、前記給紙部５により給紙された用紙４を画像形成プロセス処理部３に搬送する搬送機構７と、用紙４上に転写されたトナー画像を定着する定着部８と、定着された用紙４を排出する排紙トレイ９などを備えたプリンタ部１０と、前記画像形成装置による画像形成のための各種動作モードを設定するモード設定キーや複写動作を起動するプリントキーなどが配置された操作表示部１１と、それらを予め設定された制御プログラムに基づいて制御する後述の制御部１２を設けて構成され、複写機のみならずプリンタ装置やファクシミリ装置としての機能も備わったものである。
【００２０】
前記給紙部５は、用紙４が収容され上下に配置された３段の給紙カセット５ａ，５ｂ，５ｃ、及び、装置右側面に配置されたバイパス給紙トレイ５ｄと、給紙カセット５ａ，５ｂ，５ｃとバイパス給紙トレイ５ｄから用紙４を１枚ずつ分離して給紙する給紙ローラ６（６ａ，６ｂ，６ｃ，６ｄ）と、給紙カセット５ａ，５ｂ，５ｃとバイパス給紙トレイ５ｄ夫々に収容された用紙４のサイズ及び有無を検出する用紙センサ５ｅ，５ｆ，５ｇ，５ｈとを備えて構成してあり、給紙ローラ６により給紙された用紙４は、搬送機構７に設けられた複数対の搬送ローラにより画像形成プロセス処理部３に搬送される。
【００２１】
前記画像形成プロセス処理部３は、感光体ＰＣの周囲に帯電チャージャー、露光用のレーザー光学系（露光用レーザー、ポリゴンモータ、Ｆθレンズなどでなるプリントヘッド）、現像装置、転写装置などを配置してなり、電子写真方式による画像形成プロセスが実行され、用紙４の面上にトナー画像が形成される。
【００２２】
前記操作表示部１１は、図４に示すように、タッチパネル式の液晶表示部１１０と、その左側部に配置されたコピー、プリンタ、スキャナといった複数の動作モードを切替選択する動作モード切替キー１１１と、被疑側に配置されたコピー枚数を設定する０から９の数値キー１１２、コピージョブを起動するプリントキー１１３、動作を一時停止するストップキー１１４などの操作キーを備えてなり、液晶表示部１１０には上部にメッセージ表示欄１１５を備えその下方に複数の機能に対応したタブが表示され、各タブには各モードに関連するモード設定キーが表示されるように構成される。
【００２３】
基本タブに表示されるモード設定キーには、読取濃度レベルを設定する濃度設定キー１１６の他、用紙サイズを選択するカセット選択キー１１７、バイパス給紙トレイを選択する手差し選択キー１１８、原稿サイズに応じた用紙種類を自動選択する自動用紙キー１１９などが表示され、各キー表示領域が指で押圧されることにより該当する機能が選択され、その内容がメッセージ表示欄１１５の右側に表示される。
【００２４】
例えば、上述の給紙カセット５ａ，５ｂ，５ｃに対応してカセット選択キー１１７には、順に「Ａ４  普通紙」、「Ａ４  カラー紙」、「Ａ３  第二原図」といったように各カセットに収容されている用紙のサイズと種類が表示され、操作者はその表示を認識して目的とする用紙が収容されたカセットを選択することができる。バイパス給紙トレイ５ｄに対応する手差し選択キー１１８も同様に「Ａ４  ＯＨＰ」と表示される。
【００２５】
ここに、用紙サイズは、給紙カセット５ａ，５ｂ，５ｃ及びバイパス給紙トレイ５ｄ夫々にセットされた用紙に対する用紙センサ５ｅ，５ｆ，５ｇ，５ｈの検出出力に基づいて表示され、用紙種類は、ユーザ機能タブに設けられている用紙指定入力画面（図示せず）によりカセット及びバイパス給紙トレイ毎に予め設定される値に基づいて表示される。
【００２６】
上述した制御部１２は、図１に示すように、装置全体を所定のプログラムに基づいて制御するＣＰＵ３０と、ＣＰＵ３０により実行されるプログラムが格納されたＲＯＭ３１と、ＣＰＵが装置の動作状態を把握する制御変数や各種の制御演算データなどが格納されるＲＡＭ３２と、スキャナ部２に対するインターフェース２０、プリンタ部１０に対するインターフェース２１、画像データを格納する大容量の画像メモリ３４、バッファメモリ３５、ビットマップメモリ３６、画像データに対して圧縮伸張処理を施すＣＯＤＥＣ３７、ＬＡＮなどのネットワーク７０と接続するためのネットワークインターフェース７１、及びモデム３８などが内部バスで接続されて構成されている。
【００２７】
上述の複写機は、ネットワークインターフェース７０を介してパーソナルコンピュータ８０やプリンタ９０に接続され、さらにモデム３８に接続されたＮＣＵ３９を介して公衆回線５０に接続され、相手側ファクシミリ装置６０との間で画像データの送受信が可能に構成されている。
【００２８】
スキャナ部２により読取られた原稿画像データやパーソナルコンピュータ８０から出力された出力画像データはバッファメモリ３５を介してビットマップメモリ３６に格納され、必要な画像処理が施された後にＣＯＤＥＣ３７により圧縮されて画像メモリ３４に格納され、画像メモリ３４に格納された原稿画像データはＣＯＤＥＣ３７により伸張されてビットマップメモリ３６に展開された後にプリンタ部１０に出力され、または必要な制御情報等が付加された送信データとしてバッファメモリ１０、モデム３８、ＮＣＵ３９を経由して相手先のファクシミリ装置６０に送信される。
【００２９】
以下、上述の複写機に備えられているバイパス給紙トレイ５ｄに対して前記ＣＰＵ３０により実行される制御について詳述する。上述した通り、操作表示部１１のユーザ機能タブに設けられている用紙指定入力画面を介して用紙種類が設定されると操作表示部１１の手差し選択キー１１８に用紙種類が表示されるが、これとともに、バイパス給紙トレイ５ｄの近傍、具体的には本体の右側壁であってバイパス給紙トレイ５ｄの直上にバイパス情報表示手段１３が設けられ、バイパス情報表示手段１３にも用紙種類が表示されるように構成されている。
【００３０】
前記用紙指定入力画面から、ＯＨＰ、厚紙、カラー用紙、普通紙、第二原図などの用紙種類が入力されると、その内容がＲＡＭ３２に記憶され、ＲＡＭ３２に記憶された用紙種類情報が操作表示部１１及びバイパス情報表示手段１３に表示される。尚、用紙種類情報は操作者に認知させる目的以外に、定着部８における定着温度の設定など画像形成プロセスにおける重要な制御データとしても使用されるものである。
【００３１】
バイパス給紙トレイ５ｄに用紙がセットされると、用紙センサ５ｈによりセットされたこと及び用紙サイズが検出され、その情報がＲＡＭ３２に記憶され、ＲＡＭ３２に記憶された用紙セット状態情報及び用紙サイズ情報が操作表示部２及びバイパス情報表示手段１３に表示される。このようにして、バイパス給紙トレイ５ｄに用紙をセットする操作者は、その姿勢のままでその近傍のバイパス情報表示手段１３に表示された用紙種類や用紙サイズを目視確認することにより、極めて容易且つ確実に正しい用紙をセットできるのである。
【００３２】
即ち、上述の用紙指定入力画面を表示させ、用紙種類を入力させる操作表示部２と用紙センサ５ｈとそれらからの入力を処理するプログラムが格納されたＲＯＭ３１とＣＰＵ３０及びその周辺ハードウェアにより、バイパス給紙トレイへの用紙のセット時に当該用紙の属性情報を入力するバイパス情報入力手段が構成され、用紙種類情報や用紙サイズ情報を格納するＲＡＭ３２及び当該ＲＡＭ３２にデータを書き込むＣＰＵ３０及びその周辺ハードウェアにより、入力されたバイパス情報を記憶するバイパス情報記憶手段が構成される。
【００３３】
さらに、上述したバイパス情報入力手段には、バイパス給紙トレイ５ｄにセットされた用紙の使用者を判別するパスワード入力部が設けられ、用紙が供給される給紙部を選択するカセット選択キー１１７、手差し選択キー１１８、自動用紙キー１１９でなる給紙部選択手段によりバイパス給紙トレイ５ｄが選択されたときに入力されたパスワードを確認するパスワード確認手段と、パスワードが確認されたときに前記バイパス給紙トレイ５ｄからの給紙を許容（つまりプリントキー１１３の入力により画像形成動作を開始）する給紙許容手段が設けられている。つまりバイパス給紙トレイへセットされる用紙の属性情報としてのバイパス情報には、用紙種類、用紙サイズ、用紙有無、パスワードの各情報が含まれる。
【００３４】
前記パスワード入力部は、操作表示部１１の用紙指定入力画面及び前記バイパス情報表示手段１３に配置された入力部で構成され、所定桁の数値表示のための表示部と各桁の数値を設定するアップダウンキーと設定キーを備えて構成されている。操作者が用紙種類を設定する際または用紙をセットする際に当該アップダウンキーを操作して設定した値を設定キーで登録する操作を各桁行なうことにより確定したパスワードがＲＡＭ３２に登録される。
【００３５】
前記パスワード確認手段は、バイパス給紙トレイ５ｄが選択されたときに操作表示部１１に確認用のパスワードの入力を促すパスワード入力画面を表示するパスワード入力画面表示手段と、表示されたパスワード入力画面に基づいて入力されたパスワードとバイパス情報に含まれるパスワードとを比較するパスワード比較手段とを備えて構成してある。
【００３６】
上述のパスワード確認手段、パスワード入力画面表示手段、パスワード比較手段、給紙許容手段は、操作表示部１１及び操作表示部１１を制御するＣＰＵ３０及びその周辺回路で構成され、その機能ブロック図が図３に示される。以下に、バイパス給紙トレイ５ｄに対する給紙制御を、図５に示すフローチャートに基づいて説明する。操作者がバイパス給紙カセット５ｄに用紙をセットするときに（Ｓ２）、その近傍に配置されたバイパス情報表示手段１３の表示内容を目視して、設定されている用紙サイズに誤りが無いか、用紙サイズに誤りが無いかを確認し（Ｓ２）、誤りがあれば適切なサイズの用紙をセットしたり、操作表示部１１から適切な用紙種類を設定する。誤りが無ければ、操作表示部１１またはバイパス情報表示手段１３に配置された入力部からパスワードを設定入力する（Ｓ３）。
【００３７】
手差し選択キー１１８などによりバイパス給紙トレイ５ｄが選択されると（Ｓ４）、パスワード入力画面表示手段により操作表示部１１にパスワード入力画面が表示され、操作者によりパスワードが入力される（Ｓ５）。パスワード比較手段が入力されたパスワードと用紙セット時に登録されたパスワードを照合して（Ｓ６）、一致していればプリントキー１１３を受付可能状態にして（Ｓ７）、当該プリントキー１１３の入力を待つ（Ｓ８）。プリントキー１１３が操作されるとコピー動作を開始して所定の画像形成ジョブを実行し（Ｓ９）、ジョブが終了すると登録されたパスワードを消去する。パスワードが消去されると、任意の操作者がバイパス給紙トレイを選択してコピー動作を行なえる状態に移行する。尚、ここで、パスワードの消去条件を画像形成ジョブの終了以外に、用紙切れ検出時も含めるものであってもよい。ステップＳ４でバイパス給紙トレイ５ｄが選択されていないときには、プリントキー１１３の操作を待って通常の画像形成ジョブが実行される（Ｓ１２，Ｓ１３，Ｓ１４）。
【００３８】
以下、別実施形態を説明する。上述の実施形態では画像形成装置を複写機として使用する場合について説明したが、プリンタ装置として使用する場合にも同様である。この場合には、パスワード確認手段は、バイパス給紙トレイ５ｄが選択されたときに、ネットワーク７０を介して接続された端末としてのパーソナルコンピュータ８０にパスワードの入力を促すパスワード入力画面を表示するパスワード入力画面表示手段と、表示されたパスワード入力画面に基づいて入力されたパスワードを前記ネットワーク７０を介して入力し、バイパス情報に含まれるパスワードとを比較するパスワード比較手段とを備えて構成することにより実現できるものであり、パーソナルコンピュータ８０にインストールされたプリンタドライバにより、カセット選択キー１１７、手差し選択キー１１８、自動用紙キー１１９でなる給紙部選択手段に代えて給紙口選択入力画面を表示させ、或いはパスワード入力画面を表示させることにより実現できるものである。
【図面の簡単な説明】
【００３９】
【図１】画像形成装置の制御ブロック構成図
【図２】画像形成装置の機械構成図
【図３】要部の機能ブロック構成図
【図４】操作表示部の説明図
【図５】フローチャート
【符号の説明】
【００４０】
５ｄ：バイパス給紙トレイ
１３：バイパス情報表示手段
３２：バイパス情報記憶手段（ＲＡＭ）
【図１】
2005210524.tif 000003
【図２】
2005210524.tif 000004
【図３】
2005210524.tif 000005
【図４】
2005210524.tif 000006
【図５】
2005210524.tif 000007